(57)【要約】【課題】高温対応剛性、印刷物との接合性等のレンチキュラーレンズ式印刷表示物としての必要な特性を確保しつつ、廃棄物処理基準に適合する材料によって簡易に構成できるレンチキュラーレンズ式印刷表示物を提供する。【解決手段】レンチキュラーレンズ式印刷表示物１は、レンチキュラーレンズ２ａを表面（片側）に形成したシート状の屈折部材と、この屈折部材の裏面側に接合された印刷画像部４とから構成され、上記屈折部材は、加熱成形性に優れる光透過性の合成樹脂材により上記レンチキュラーレンズ２ａを表面に形成したレンズ層２ｔと、このレンズ層２ｔの裏面側に密着して所定の耐熱剛性を有する光透過性の合成樹脂材によるコア層２ｃと、このコア層２ｃの裏面側に密着して上記レンズ層２ｔと同等の機械特性および上記印刷画像部４との接合性を有する接合層２ｂとからなるものである。【選択図】図１
2006308829.tif 000002
【特許請求の範囲】
【請求項１】
レンチキュラーレンズを表面（片側）に形成したシート状の屈折部材と、この屈折部材の裏面側に接合された印刷画像部とからなり、この印刷画像部は、レンチキュラーレンズと対応した分解画像を形成することにより、立体視または動的表示を可能とするレンチキュラーレンズ式印刷表示物において、
上記屈折部材は、加熱成形性に優れる光透過性の合成樹脂材により上記レンチキュラーレンズを表面に形成したレンズ層と、このレンズ層の裏面側に密着して所定の耐熱剛性を有する光透過性の合成樹脂材によるコア層と、このコア層の裏面側に密着して上記レンズ層と同等の機械的特性および上記印刷画像部との接合性を有する接合層とからなることを特徴とするレンチキュラーレンズ式印刷表示物。
【請求項２】
前記レンズ層と接合層に共通のＰＥＴシート素材、コア層にポリカボネート材を適用したことを特徴とする請求項１記載のレンチキュラーレンズ式印刷表示物。
【発明の詳細な説明】
【技術分野】
【０００１】
本発明は、レンチキュラーレンズによって立体視等の表示を可能とするレンチキュラーレンズ式印刷表示物に関するものである。
【背景技術】
【０００２】
レンチキュラーレンズ式印刷表示物は、印刷物の画像表面にレンチキュラーレンズシートを接合形成し、または、表面（片側）にレンズを形成したレンチキュラーレンズシートの裏面側に画像を印刷した簡易な構成によって立体視や動的表示という特殊効果を可能とするものである。
上記レンチキュラーレンズシートは、従来、光透過性、加工性の良い合成樹脂材として塩ビ（塩化ビニル）が用いられているが、廃棄焼却時にオキシダントを発生することから、廃棄物処理基準に適合する代替素材としてＰＥＴ（ポリエチレンテレフタレート）への切替が進められている。
【０００３】
ただし、上記ＰＥＴは耐熱性が劣ることから、高温環境下においては、反りや剥がれの問題を生じるので適用範囲が限定され、自動販売機の表示部等への適用については、少なくとも８０℃の耐熱性（高温曲げ剛性）を有する材料が必要となり、その候補としてポリカボネート材の導入が検討されている。
【０００４】
しかしながら、ポリカボネート材は、上記ＰＥＴの数倍のコストを要する上に、印刷物表面との接合性、印刷転写性の点で技術的な問題が生じ、さらに、印刷物の接合とレンズの成形とを同時に行う圧接成形製法による場合にあっては、高温の成形温度により印刷彩色画像の変色を招き、印刷物の画質低下という最悪の事態を避けることができない。
【発明の開示】
【発明が解決しようとする課題】
【０００５】
解決しようとする問題点は、高温対応剛性、印刷物との接合性等のレンチキュラーレンズ式印刷表示物としての必要な特性を確保しつつ、廃棄物処理基準に適合する材料によって簡易に構成できるレンチキュラーレンズ式印刷表示物を提供することにある。
【課題を解決するための手段】
【０００６】
請求項１に係る発明は、レンチキュラーレンズを表面（片側）に形成したシート状の屈折部材と、この屈折部材の裏面側に接合された印刷画像部とからなり、この印刷画像部は、レンチキュラーレンズと対応した分解画像を形成することにより、立体視または動的表示を可能とするレンチキュラーレンズ式印刷表示物において、上記屈折部材は、加熱成形性に優れる光透過性の合成樹脂材により上記レンチキュラーレンズを表面に形成したレンズ層と、このレンズ層の裏面側に密着して所定の耐熱剛性を有する光透過性の合成樹脂材によるコア層と、このコア層の裏面側に密着して上記レンズ層と同等の機械特性および上記印刷画像部との接合性を有する接合層とからなることを特徴とする。
【０００７】
上記レンチキュラーレンズ式印刷表示物は、複合された個々の構成要素と対応してレンズ成形性、高温対応の曲げ剛性、印刷画像との接合性等のレンチキュラーレンズ式印刷表示物としての特性が確保される。
【０００８】
請求項２に係る発明は、請求項１の構成において、前記レンズ層と接合層に共通のＰＥＴシート素材、コア層にポリカボネート材を適用したことを特徴とする。上記構成のレンチキュラーレンズ式印刷表示物は、廃棄物処理基準に適合する入手の容易な素材によって構成される。
【発明の効果】
【０００９】
請求項１の構成のレンチキュラーレンズ式印刷表示物は、複合された個々の構成要素により、レンズ成形性、高温対応の曲げ剛性、印刷画像との接合性等のレンチキュラーレンズ式印刷表示物としてのすべての特性が確保されることから、個々の構成要素として適合可能な材料を選択して組み合わせることにより、コストをより低く抑えつつ、印刷画像の接合性、耐熱剛性等の所要の特性および廃棄物処理基準を満たして簡易に構成することができる。
【００１０】
請求項２の構成のレンチキュラーレンズ式印刷表示物により、廃棄物処理基準に適合しつつＰＥＴ材によってコストが最小限度に抑えられ、かつ、印刷画面との接合性および印刷物の画質を確保しつつ、ポリカボネート材によって高温環境下においても反りや剥がれを抑えて目的に沿った立体視等の表示を確保することができる。
【発明を実施するための最良の形態】
【００１１】
本発明の実施の形態について、以下に図面に基づいて詳細に説明する。
図１は、レンチキュラーレンズ式印刷表示物の構成を分解して示す断面図である。
レンチキュラーレンズ式印刷表示物１は、多数の凸レンズ２ａ…を表面（片側）に形成したシート状のレンズ層２ｔと、このレンズ層２ｔの裏面側に密接するコア層２ｃと、さらにこのコア層２ｃの裏面側に密接する接合層２ｂと、この接合層２ｂに接着剤を介して接合する印刷画像部４を形成した印刷物とを積層状に構成したものである。
【００１２】
詳細には、その基本構成の断面図を図２に示すように、レンズ層２ｔは、ＰＥＴ（ポリエチレンテレフタレート）等の光透過性の合成樹脂シートにより、表面に多条の凸レンズ２ａによるレンチキュラーレンズを金型で加熱成形等によって形成する。
コア層２ｃは、所定の耐熱剛性（略８０℃）を有する光透過性の合成樹脂材、例えば、ポリカボネート材をレンズ層２ｔと接合層２ｂの合計厚さ程度のシート状に形成して曲げ剛性を確保し、レンズ層２ｔの裏面側に一体に密接する。
接合層２ｂは、印刷画像部４との接合性を確保しうる光透過性の合成樹脂材でコア層２ｃの裏面側に一体に密接する。また、接合層２ｂはレンズ層２ｔと共通のシート材を用いて機械的特性をレンズ層と同等とすることにより、コア層２ｃの両面に作用する歪みをバランスすることができる。
【００１３】
印刷画像部４は、レンズ層２ｔのレンチキュラーレンズ２ａと対応して立体視用または動的表示用に分解されて印刷形成された印刷物表面の分解画像である。この印刷画像部４は、レンズ層２ｔのレンズ２ａと対応する所定の関係位置に接着剤を介して接合層２ｂの裏面側に固着する。
【００１４】
上記レンチキュラーレンズ式印刷表示物１の製造手順は、印刷物の印刷画像部４上に、順に接合層２ｂ、コア層２ｃ、レンズ層２ｔを所定の関係位置に重ねて金型で加熱圧接してレンズ成形と接合を１工程で処理し、または、レンズ層２ｔ、コア層２ｃ、接合層２ｂを金型で加熱圧接して３層構造のレンズシートを成形した後に、裏面側の接合層２ｂに分解画像を印刷して製造することができる。これを両面粘着テープ等を用いて所要位置に貼着する。
【００１５】
上記構成のレンチキュラーレンズ式印刷表示物１は、レンズ層２ｔ、コア層２ｃ、接合層２ｂに分けて必要な特性の材料を組合わせて構成することにより、印刷画面との接合性および印刷物の画質を確保しつつ、高温環境下においても反りや剥がれを抑えて目的に沿った立体視等の表示を確保することができる。
【００１６】
例えば、レンズ層２ｔと接合層２ｂに共通のＰＥＴシート素材、コア層２ｃにポリカボネート材を適用することにより、コストを最小限度に抑えて、印刷画面との接合性および印刷物の画質を確保しつつ、自動販売機等の高温環境への適用においても、反りや剥がれを抑えて立体視や等の表示を確保することができる。
【００１７】
なお、上記レンズ層２ｔは、平行条や同心円条のレンチキュラーレンズに限らず、個別形成のレンズを一体に平面配置することによっても同様の作用効果を奏するものであることから、その説明を省略する。また、個々のレンズ２ｃ…を直交格子状、放射格子状等の幾何学形状に配置形成することによってレンズ層２ｔと印刷物４の分解画像の相互の関係位置の精度を簡易に確保することができる。
【図面の簡単な説明】
【００１８】
【図１】レンチキュラーレンズ式印刷表示物の分解断面図である。
【図２】図１のレンチキュラーレンズ式印刷表示物の基本構成を示す断面図である。
【符号の説明】
【００１９】
１    レンチキュラーレンズ式印刷表示物
２ａ    凸レンズ
２ｂ    接合層（屈折部材）
２ｃ    コア層（屈折部材）
２ｔ    レンズ層（屈折部材）
４    印刷画像部
【図１】
2006308829.tif 000003
【図２】
2006308829.tif 000004